(57)【要約】  【課題】ボックス形態に結合される蛇籠の前面が、石の圧力によって突き出るはらみ出し現象を防止し、はらみ出し形象を防止する補強棒の長さを長くして、施工される一部の蛇籠が他の蛇籠より突出したり、陥没することを防ぎ、河川の護岸や法面に施工することで河川等の氾濫を防止し、切土されることを防ぐ。  【解決手段】ボトム金網100の端に、４枚のサイド金網200を函体形態に結合し、サイド金網200の上部にアップサイド金網300を結合して蛇籠を構成する。サイド金網200はフロント金網210とリア金網220及びフロント金網210とリア金網220の間に結合されるレフト金網230及びライト金網240で構成する。フロント金網210とリア金網220が張力調節ユニット250によって引かれるように構成し、ボトム金網100とサイド金網200及びアップサイド金網300が相接するそれぞれの角を結束ワイヤーによって結合する。  【選択図】  図１
2009536699.tif 000002
【特許請求の範囲】
【請求項１】
ボトム金網(100)の端にそれぞれサイド金網(200)が函体形態に結合されて、前記サイド金網(200)の上部にアップサイド金網(300)が結合されるように構成される蛇籠(A)において、前記サイド金網(200)は網が狐格子の形態に形成されるフロント金網(210)とリア金網(220)及び前記フロント金網(210)とリア金網(220)の間に結合されるレフト金網(230)及びライト金網(240)で構成され、前記フロント金網(210)とリア金網(220)が張力調節ユニット(250)によって引かれるように構成され、前記ボトム金網(100)とサイド金網(200)及びアップサイド金網(300)の相接するそれぞれの角が結束ワイヤーによって結合されることを特徴とする蛇籠。
【請求項２】
前記張力調節ユニット(250)は、フロント金網(210)を構成するそれぞれのワイヤー(211)にリア金網(220)に向けて突き出るように湾曲させた第１安着部(251)が１個以上形成され、前記リア金網(220)を構成するそれぞれのワイヤー(221)にフロント金網(210)に向けて突き出るように湾曲させた第２安着部(251’)が１個以上形成され、前記第１安着部(251)と第２安着部(251’)にそれぞれ補強棒(252)、(252’)が挿入され、前記補強棒(252)、(252’)の間に緊張ワイヤー(253)の両側端が縛られ、緊張ワイヤー(253)の中間部分を数回捩って補強棒(252)、(252’)が内側に引かれるように構成されていることを特徴とする請求項１記載の蛇籠。
【請求項３】
前記フロント金網(210)の第１安着部(251)は、上部と下部及び中央部に水平方向に形成され、前記リア金網(220)の第２安着部(251’)は前記第１安着部(251)と対称に形成されていることを特徴とする請求項１または２記載の蛇籠。
【請求項４】
前記結束ワイヤーは螺旋スプリングの形態を持つように形成されていることを特徴とする請求項１記載の蛇籠。
【請求項５】
前記結束ワイヤーのピッチ(P)はそれぞれ結合される金網のワイヤーピッチ(p)と等しく形成され、前記結束ワイヤーの下端は外方へ向けて捩れた形態を持つように形成されることを特徴とする請求項４記載の蛇籠。
【発明の詳細な説明】
【技術分野】
【０００１】
本発明は蛇籠（gabion）に関するものであり、特に、多数の金網の端がそれぞれ結束ワイヤーによってボックス形態に結合され、その内部の空間に張力調節ユニットが設置されて、石が詰められた状態で生ずる満腹現象（外へはらむ現象）を防ぐことができるようにすると同時に、これを河川の護岸やその他の法面に施工して、河川等の氾濫を防止するとともに切土（法面土砂の崩壊等）されることを防ぐことができるようにしたのである。
【背景技術】
【０００２】
一般に、護岸、河川などの傾斜面には水の氾濫を防止することと共に、水によって傾斜面が洗わせられて切土されることを防ぐことができるようにするために石が詰められた蛇籠がその表面に施工されている。
【０００３】
このような蛇籠は多数の石をその内部に入れて垂直や水平方向に積むことができるように形成され、通常の円筒形態を持つ網で形成される蛇籠の一側に開口部を形成してその内部に石を詰めることができるように構成されており、石を詰めた後に開口部を蓋で覆うことができるように構成されている。
【０００４】
しかし、このような構成を持つ蛇籠は開口部の大きさが小さく、その内部に石を詰めるのが非常に困難であり、石を詰めた後に開口部を塞ぐための蓋を別途のワイヤーなどで結束する過程を必要とするため、作業性が低くなる問題点があった。
【０００５】
このような問題点を解消するための発明として、大韓民国登録実用新案公報２０−３４２３３１号（２００４年２月６日）の石の詰めるのが容易な護岸の蛇籠が提案され、提案された護岸の蛇籠では円筒状の網の一側端から他側端まで長手方向のスリットを形成し、その切開部の両側に所定の間隔を持つ切欠きを形成して石を詰めることが容易になるようにしたが、網が円筒状に形成されていることで蛇籠を垂直方向に積層することができず、また、これを垂直方向に施工した場合に、はらみ出し現象が発生する原因となるともに、接する他の網と平行にならなくなるというもう一つの問題点があった。
【０００６】
一方、蛇籠を垂直で積層させようとする場合、別途の水平または垂直パイプからなる一面足場を全面に露出されるように施工する過程で、周りの美観を阻害するという他の問題点があった。
【発明の開示】
【発明が解決しようとする課題】
【０００７】
本発明は、上述のような問題点を解消するために発明され、多数の金網の端がそれぞれ結束ワイヤーによってボックス形態に結合され、その内部に提供される空間に張力調節ユニットが設置され、石を詰めた状態で発生するはらみ出し現象を防ぐことができるようにし、同時に河川の護岸やその他の法面にこれを施工して氾濫を防止しながら土砂が削られるのを防ぐことができる蛇籠を提供することを目的としている。
【課題を解決するための手段】
【０００８】
上述のような目的を果たすため、本発明はボトム金網（底面金網）１００の端にそれぞれのサイド金網（側面金網）２００が函体形態に結合されて、前記サイド金網２００の上部にアップサイド金網（上面金網）３００が結合されるように構成される蛇籠Ａにおいて、前記サイド金網２００は網が狐格子の形態に形成されるフロント金網（前面金網）２１０とリア金網（背面金網）２２０及び前記フロント金網２１０とリア金網２２０の間に結合されるレフト金網（左面金網）２３０及びライト金網（右面金網）２４０で構成され、前記フロント金網２１０とリア金網２２０が張力調節ユニット２５０によって引かれるように構成されて、前記ボトム金網１００とサイド金網２００及びアップサイド金網３００が相接するそれぞれの角が結束ワイヤーによって結合されることを特徴とする。
【０００９】
また、前記張力調節ユニット２５０はフロント金網２１０を構成するそれぞれのワイヤー２１１にリア金網２２０に向けて突き出るように湾曲させた第１安着部２５１が１個以上形成され、前記リア金網２２０を構成するそれぞれのワイヤー２２１にフロント金網２１０に向けて突き出るように湾曲させた第２安着部２５１’が１個以上形成され、前記第１安着部２５１と第２安着部２５１’にそれぞれ補強棒２５２、２５２’が挿入されて、前記補強棒２５２、２５２’の間に緊張（締め）ワイヤー２５３の両側端が縛られ、縛られた緊張ワイヤー２５３の中間部分を数回捩じって補強棒２５２、２５２’が内側に引かれるように構成されることを特徴とする。
【００１０】
また、前記フロント金網２１０の第１安着部２５１は、上部と下部及び中央部に、水平方向に形成され、前記リア金網２２０の第２安着部２５１’は、前記第１安着部２５１と対称に形成されることを特徴とする。
【００１１】
また、前記結束ワイヤーは螺旋スプリングの形態を持つように形成されることを特徴とする。
【００１２】
そして前記結束ワイヤーのピッチ（Ｐ）はそれぞれ結合される金網のワイヤーピッチ（ｐ）と等しく形成されて、前記結束ワイヤーの下端は外方に向けて捩じれた形態を持つように形成されることを特徴とする。
【発明の効果】
【００１３】
このように本発明は、多数の金網の端がそれぞれ螺旋形態を持つ結束ワイヤーによってボックス形態に結束されて、その内部に提供される空間に張力調節ユニットが設置されて石を詰めて護岸や傾斜面に施工されることで、蛇籠に発生する部分的なはらみ出し現象を防止できるようにし、同時に補強棒によって、隣接する他の蛇籠が押し出されたり、陥没するのを防止することができる。
【００１４】
また、これによって河川の護岸やその他の法面に施工して氾濫を防止しながら、切土されることを防ぐことができる。
【発明を実施するための最良の形態】
【００１５】
以下、本発明の実施例を添付の図面を参照して説明する。
【００１６】
本発明による蛇籠Ａは、図１〜図５に示すように、ボトム金網１００、サイド金網２００、アップサイド金網３００及び結束ワイヤー４００で構成されている。
【００１７】
ここで、前記ボトム金網１００は後述する石(雑石)が支えられるようにしながら、サイド金網２００が端に結合されるようにすることで、所定の長さで切断した多数のワイヤーが四角縁の形態を持つように形成され、四角縁の内側に他のワイヤーが交差されるようにスポット溶接を利用して結合されるようにすることで全体的に網が狐格子の形態を持つように構成されている。
【００１８】
また、前記ボトム金網１００の四角縁の内側に交差されるそれぞれのワイヤーの中で、一部のワイヤーの間隔を他のワイヤーの間隔よりも狭くし、部分的な強度をさらに高めるように構成されている。
【００１９】
前記サイド金網２００はボトム金網１００の端に、その下端が結合されて垂直の形態で立てられ、垂直の形態で立てられたそれぞれの角を結束ワイヤー４００で結合させて上部が開放される函体形態を持つようにすることで、ボトム金網１００の前後、左右を基準にしてフロント金網２１０、リア金網２２０及びレフト金網２３０、ライト金網２４０で構成されている。
【００２０】
前記フロント金網２１０は、ボトム金網１００と等しい形態を持ち、後述する張力調節ユニット２５０を構成する第１安着部２５１が少なくとも１個以上形成されている。
【００２１】
前記第１安着部２５１は、フロント金網２１０を構成するそれぞれのワイヤー２１１にリア金網２２０に向けて湾曲形態に突き出されるように形成され、後述する補強棒２５２が外部で挟まれることができるように構成されている。
【００２２】
このような第１安着部２５１は、⊂形態に曲げられるようにすることが好ましく、一つのワイヤー２１１を⊂形態に曲げてフロント金網２１０を形成するのではなく、⊂形態に曲げられる長さのゆとりを持つようにボトム金網１００の形態と等しく製作した後に、プレスなどを利用して、１回でフロント金網２１０の一側端から他側端を向けて成形されるようにすることが好ましい。
【００２３】
また、前記第１安着部２５１は、上部と下部及び中間部で、それぞれ水平方向に形成されるようにすることが、より好ましい。
【００２４】
そして、前記フロント金網２１０、はボトム金網１００と同様、交差されるそれぞれのワイヤーの中で一部のワイヤーの間隔を他のワイヤーの間隔よりも狭くして強度がさらに高められるように構成されている。
【００２５】
前記リア金網２２０は、フロント金網２１０と等しい形態に形成されることで、前記リア金網２２０を構成するそれぞれのワイヤー２１１には、フロント金網２１０に向けて湾曲形態に突き出された第２安着部２５１’が１個以上形成されるように構成されている。
【００２６】
また、このようなリア金網２２０は、フロント金網２１０と等しい形態を持たせ、前記リア金網２２０を構成するそれぞれのワイヤーの中で一部のワイヤーの間隔を他のワイヤーの間隔よりも狭くして、部分的にその強度が補強されるように構成されている。
【００２７】
前記レフト金網２３０及びライト金網２４０は、ボトム金網１００の上部とフロント金網２１０及びリア金網２２０の間に、結束ワイヤー４００を介在させ、前記ボトム金網１００と等しい形態を持つように構成されており、これもまた部分的な強度を高めるために、前述のとうにレフト金網２３０及びライト金網２４０を成すそれぞれのワイヤーの中で一部のワイヤーの間隔を他のワイヤーの間隔よりも小さくなるように形成して、その強度が全体的に増大されるように構成されている。
【００２８】
前記張力調節ユニット２５０は、ボトム金網１００の端で上部に向けて直角または垂直になるように結合されるフロント金網２１０とリア金網２２０に、ある程度の張力がいつも作用するようにして、その中に石が詰められた時にはらみ出し現象が生じることを防止すると同時に、蛇籠を垂直方向に積層したり、水平方向に連続するように施工する場合に、隣接する他の蛇籠と同じ方向すなわち、垂直や水平方向が維持される機能が提供されるように構成されている。
【００２９】
このために、前記張力調節ユニット２５０は、第１安着部２５１、第２安着部２５１’、補強棒２５２、２５２’及び緊張ワイヤー２５３で構成されている。
【００３０】
ここで、前記第１安着部２５１は、前述のとおりにフロント金網２１０の内側面であるすなわち、リア金網２２０に向く部分が湾曲形態に突き出されて、外側から所定の長さを持つ補強棒２５２が挿入されるように構成されている。
【００３１】
前記第２安着部２５１’は、第１安着部２５１と等しい形態を持つことで、前記第１安着部２５１と対称の形態を持つように形成されており、これもまた他の補強棒２５２’が外部の外側から容易に挿入されるように構成されている。
【００３２】
前記補強棒２５２、２５２’は、所定の直径でその長さは安着されるそれぞれの第１，２安着部２５１、２５１’の長さと等しいように形成され、場合によって補強棒２５２、２５２’の長さをより長くして、隣接する他の蛇籠Ａ’に形成される他の第１，２安着部に安着されることで、その水平や垂直形態を合わせることができるようにすることがより好ましい。
【００３３】
前記緊張ワイヤー２５３は、その圧縮張力によって両側端に縛ったり、または巻かれる形態に固定されるそれぞれの補強棒２５２、２５２’を内側方向すなわち、蛇籠Ａの内側方向に引っ張って、蛇籠Ａに詰められる石５００の圧力によってフロント金網２１０やリア金網２２０が外側方向に突き出る満腹現象が防止されるように構成されている。
【００３４】
このために、前記緊張ワイヤー２５３は、第１安着部２５１と第２安着部２５１’に安着されたそれぞれの補強棒２５２、２５２’ の間にその両側端が縛られて、縛られる部分は、それぞれのフロント金網２１０及びリア金網２２０を成すワイヤーの間隔が細くなる部分に位置する所が縛られるようにすることが好ましい。
【００３５】
この時に、残りの部分は、長さが短い別途の束ねワイヤー２５４を利用して縛られるようにすることで、すべての第１安着部２５１と第２安着部２５１’がそれぞれの補強棒２５２、２５２’に縛られて浮き上がることが生じないようにすることができる。
【００３６】
また、前記緊張ワイヤー２５３は、楕円形または閉曲線の形態を持つように縛られた状態で、中央にドライバーや小さな棒を挟んでこれを回転させることによって、緊張ワイヤー２５３が絞られながら、その両側端に縛られた補強棒２５２、２５２’が中央側に引かれるように構成されている。
【００３７】
このような張力調節ユニット２５０は、一つで例を挙げたが、フロント金網２１０に形成される第１安着部２５１やリア金網２２０に形成される第２安着部２５１’の数に合うように使用することが好ましい。
【００３８】
一方、本発明では、フロント金網２１０に形成される第１安着部２５１とリア金網２２０に形成される第２安着部２５１’が水平形態を持つようにしたが、このような水平形態の以外にそれぞれのフロント金網２１０とリア金網２２０を９０°回転させる形態の垂直形態を持つように形成して使うことができる。
【００３９】
前記アップサイド金網３００は、ボトム金網１００及びサイド金網２００が多数の結束ワイヤー４００によって函体形態に結合された内部空間に、石５００を詰めてその上部を塞いで詰められた石５００が外部に抜け出ることを防止する機能を持つことでボトム金網１００と等しい形態を持つように構成されていて、アップサイド金網３００の端をサイド金網２００の上端に相接するようにして、多数の結束ワイヤー４００に結合されるように構成されている。
【００４０】
前記結束ワイヤー４００は、蛇籠を成す多数のボトム金網１００、サイド金網２００及びアップサイド金網３００の角をそれぞれ結束させることでその形態は螺旋スプリング形態を持つように形成され、前記結束ワイヤー４００の下側端が結束させようとする角、例えばフロント金網２１０とレフト金網２３０が相接するようにした状態で、上側に一つの四角形態を持つ網に挿入されるようにした後に、手を放すことと同時にその自重によって下部に移動しながら螺旋方向に回転されることによって、結束ワイヤー４００が垂直に繋がれた一つの網の間で糸を通したような形態に結束される。
【００４１】
このために、前記結束ワイヤー４００のピッチ（Ｐ）は、それぞれ結合されるか、または挟まれる金網のワイヤーピッチ（ｐ）と等しいピッチを持つように形成されて、結束ワイヤー４００の下端はその端が外に捩られて開かれる形態を持つように形成されている。
【００４２】
これは結束ワイヤー４００の下端の端が開けられなかった場合に、結束ワイヤー４００の自重によって下部に落下移動される過程で、その端が垂直形態や水平形態で位するようになるそれぞれのワイヤーに触れて方向がずれて非結束となることを防止できるように構成されている。すなわち、ある程度の遊間を持って、下部に落下するように移動する過程で、結束ワイヤー４００の中心に入る角部分が少し外れたと言っても、ずれた部分が外側部分に開けられた部分によって中心に引かれながら案内されるによって、容易に結束することができる。
【００４３】
このような構成を持つ蛇籠は、先に、サイド金網２００の一つのフロント金網２１０を底に据え置いた状態で、ボトム金網１００を立ててボトム金網１００の端とフロント金網２１０の端が相接するようにし、お互いに触れ合う角の上部で結束ワイヤー４００の下端が挟まれるようにした後に、結束ワイヤー４００を放すと同時に、結束ワイヤー４００は自重によって下部に移動すると同時に、螺旋形態によってそれぞれの網を貫通して糸に通した状態に結束される。
【００４４】
次に、結束ワイヤー４００の下端が底に触れて止められた後に、結束ワイヤー４００の上部を窄めることとして、ボトム金網１００とフロント金網２１０を逆に持っても結束ワイヤー４００が逆方向に抜けることを防ぐことができる。
【００４５】
次に、このような過程の繰り返しを通じて、ボトム金網１００にそれぞれリア金網２２０、レフト金網２３０及びライト金網２４０が結合されるようにする。
【００４６】
次に、フロント金網２１０の前面で、後面を向くように形成される第１安着部２５１に補強棒２５２を挿入した後に、補強棒２５２に接するワイヤーの中で間隔が狭い部分を除くすべての部分を束ねワイヤー２５４で縛って固定し、リア金網２２０に形成される第２安着部２５１’に他の補強棒２５２’を挿入した後に、束ねワイヤー２５４を縛って固定する。
【００４７】
次に、束ねワイヤー２５４によって固定されたそれぞれの補強棒２５２、２５２’の間に緊張ワイヤー２５３の両側端が包まれる形態で巻いて、その中央にドライバーなどをさして回転させるによって緊張ワイヤー２５３が縒られながらその両側にある補強棒２５２、２５２’を引かれるようになる。
【００４８】
次に、緊張ワイヤー２５３によって補強棒２５２、２５２’が引かれた状態で函体形態に形成される内部に石５００を詰め、石５００が詰められたサイド金網２００の上部をアップサイド金網３００で覆って、アップサイド金網３００の端に相接するすべての角の部分に結束ワイヤー４００を結束させることで、一つの蛇籠Ａを得ることができる。
【００４９】
本発明に関して、一つの蛇籠Ａを得る過程を説明したが、このような蛇籠Ａを利用して河川の護岸や傾斜面などにこれを水平方向に連続されるように施工する場合に、補強棒２５２、２５２’の長さを長くして、図６に示すように、２個のフロントパネルや２個のリアパネルに形成されるそれぞれの安着部に全部挿入されるようにすることによって、前後面で他の蛇籠Ａ’がより突き出でるとか、陥没することを防ぐことができる。
【００５０】
また、図７に示すように、ほとんど垂直に近い護岸や傾斜面６００に蛇籠Ａを垂直に積む場合に、それぞれのフロントパネルやリアパネルに形成される安着部を全部垂直に向けるように位置させた後に、前述のとおりに長さが長い補強棒を利用してある一つの蛇籠が突き出でるとか陥没することを防止することができる。
【００５１】
一方、図８に示すように、蛇籠Ａを垂直の方向に積層させて擁壁の形態を持つように使うこともでき、このような場合、一番下端に位置する蛇籠からその上部に積層される蛇籠の長さを順次に短くして、安定的になるように施工して使うこともできる。
【００５２】
本発明では、蛇籠を成すボトム金網１００、フロント金網２１０、リア金網２２０、レフト金網２３０、ライト金網２４０及びアップサイド金網３００を四角形態を持つように説明したが、図９に示すように、フロント金網２１０とリア金網２２０を長さが長い長方形の形態を持つようにして、フロント金網２１０とリア金網２２０にそれぞれ結束されるボトム金網１００、レフト金網２３０、ライト金網２４０及びアップサイド金網３００をその長さに合うようにする場合、マットレスの形態を持つようにして傾斜角度が緩い護岸や傾斜面７００にこれを容易に施工して切土されることを防止することができる。
【図面の簡単な説明】
【００５３】
【図１】本発明による蛇籠の斜視図である。
【図２】本発明による蛇籠の分解斜視図である。
【図３】本発明による蛇籠のレフト金網を取り除いた状態を示す斜視図である。
【図４】本発明による蛇籠の縦断面図である。
【図５】本発明による蛇籠に石が詰められた状態を示す例示図である。
【図６】本発明による蛇籠の使用状態を示す例示図である。
【図７】本発明による蛇籠を傾斜角度が大きい法面に施工した状態を示す例示図である。
【図８】本発明による蛇籠を垂直に築いた状態を示す例示図である。
【図９】本発明による蛇籠を傾斜角度が小さい法面に施工した状態を示す例示図である。
【図１】
2009536699.tif 000003
【図２】
2009536699.tif 000004
【図３】
2009536699.tif 000005
【図４】
2009536699.tif 000006
【図５】
2009536699.tif 000007
【図６】
2009536699.tif 000008
【図７】
2009536699.tif 000009
【図８】
2009536699.tif 000010
【図９】
2009536699.tif 000011
【国際調査報告】
2009536699.tif 000012
2009536699.tif 000013